(57)【特許請求の範囲】
【請求項１】
絶縁性のハウジングと、該ハウジングに取り付けられ、回路基板に半田接続されるコンタクトとを具備したバッテリコネクタにおいて、
前記ハウジングは、上面、前面及び下面に開口するコンタクト受容キャビティを有し、
前記コンタクトは、平板状の基部と、該基部の両側から立ち上がる１対の側壁部と、該１対の側壁部の各々から互いに相対向するように延びる、相手コンタクトへの１対の接触アームとを有し、
前記基部の底面が、前記ハウジングの前記下面と略同一面となって該下面から露出し、前記回路基板への半田付け面を構成することを特徴とするバッテリコネクタ。
【請求項２】
前記基部の底面に、半田フィレット形成用の凹部を形成したことを特徴とする請求項１記載のバッテリコネクタ。
【発明の詳細な説明】
【０００１】
【発明の属する技術分野】
本発明は、携帯電話機等に内蔵されたバッテリに接続され、携帯電話機等の本体側の回路基板に実装された相手コネクタに嵌合接続するためのバッテリコネクタに関する。
【０００２】
【従来の技術】
一般に、携帯電話機に内蔵されるバッテリは、携帯電話機の裏蓋にバッテリを内蔵したバッテリパックと、あるいはその裏蓋側に別個に設けられるバッテリの２種類の形態がある。それぞれのバッテリは、バッテリに接続されたバッテリコネクタを携帯電話機の本体内に設けられた回路基板上に実装した相手コネクタに嵌合接続することにより前記回路基板に接続されるようになっている。
【０００３】
従来のこの種のバッテリコネクタとして、例えば、図７に示すものが知られている（特開平７−  １９２７９７号公報参照）。
このバッテリコネクタ１００は、複数のコンタクト受容キャビティ１１１を有する長手方向に延びるハウジング１１０と、各コンタクト受容キャビティ１１１内に取り付けられた複数のコンタクト１２０とを具備している。
【０００４】
このうち、各コンタクト１２０は、金属板を打ち抜き及び曲げ加工によって形成されるものであり、コンタクト受容キャビティ１１１のハウジング壁に圧入固定される板状の基部１２１を有する。この基部１２１の後端（図７における左端）下部からは、バッテリに接続された回路基板（図示せず）上に半田接続される基板接続部１２２が延び、基部１２１の前端下部からは、相手コネクタのタブ状相手コンタクト（図示せず）に接触する接触部１２３が延びている。基板接続部１２２は、基部１２１の後端下部から後方に延びると共に基部１２１に対して略直交する方向に折り曲げられた平板部１２４と、平板部１２４の下端から後方に延びて回路基板上に半田接続される脚部１２５とを有している。一方、接触部１２３は、基部１２１の前端下部から対角的に基部１２１の厚み面の外に延びる弾性ばね部１２６と、弾性ばね部１２６の接触面と反対側に折り曲げられた先端部１２８とを有している。
【０００５】
そして、相手コネクタのタブ状相手コンタクトがハウジング１１０に設けられたコンタクト受容キャビティ１１１内に入りこみ、相手コンタクトがコンタクト１２０の接触部１２３の接触面１２７に弾性接触し、これにより、バッテリと相手側の回路基板（図示せず）とが電気的に接続されるようになっている。
【０００６】
【発明が解決しようとする課題】
しかしながら、この従来のバッテリコネクタ１００にあっては、以下の課題があった。
即ち、コンタクト１２０の半田付け部となる脚部１２５は、比較的広い面積を持つ板状の基部１２１の後端下部から延びる平板部１２４の下端から折り曲げられているため、回路基板に対する半田付け面積が小さく、半田付け強度が低い。このため、バッテリコネクタ１００を回路基板上に実装した後に落下等の衝撃によりバッテリコネクタ１００が回路基板から離脱してしまうことがある。この課題を解決するため、コンタクト１２０を回路基板上に半田接続する以外に、別個の補強部材（図示せず）をハウジング１１０に取り付け、この補強部材を回路基板上に半田接続することが行われることがあり、この場合には、バッテリコネクタ１００の基板上への占有面積が大きくなってしまうという欠点がある。
【０００７】
また、脚部１２５の半田付け位置がバッテリコネクタ１００の底面において短手方向中央に対して偏っており、バッテリコネクタ１００に対する半田付け位置のバランスが悪く、相手コネクタが前方から嵌合する場合、ハウジング１１０の前端側が浮くおそれがあるという課題があった。
従って、本発明は上述の課題に鑑みてなされたものであり、その目的は、コンタクトの回路基板に対する半田付け強度を高めることによって別体の補強部材を不要とし、基板上の占有面積を小さくできると共に、コネクタの底面における半田付け位置のバランスを良好なものとすることができるバッテリコネクタを提供することにある。
【０００８】
【課題を解決するための手段】
上記課題を解決するため、本発明のうち請求項１に係るバッテリコネクタは、絶縁性のハウジングと、該ハウジングに取り付けられ、回路基板に半田接続されるコンタクトとを具備したバッテリコネクタにおいて、前記ハウジングは、上面、前面及び下面に開口するコンタクト受容キャビティを有し、前記コンタクトは、平板状の基部と、該基部の両側から立ち上がる１対の側壁部と、該１対の側壁部の各々から互いに相対向するように延びる、相手コンタクトへの１対の接触アームとを有し、前記基部の底面が、前記ハウジングの前記下面と略同一面となって該下面から露出し、前記回路基板への半田付け面を構成することを特徴としている。
【０００９】
また、本発明のうち請求項２に係るバッテリコネクタは、請求項１記載の発明において、前記基部の底面に、半田フィレット形成用の凹部を形成したことを特徴としている。
【００１０】
【発明の実施の形態】
次に本発明の実施形態を図面を参照して説明する。図１は本発明に係るバッテリコネクタを斜め上方から見た斜視図である。図２は図１のバッテリコネクタを斜め下方から見た斜視図である。図３は図１のバッテリコネクタを示し、（Ａ）は平面図、（Ｂ）は正面図、（Ｃ）は底面図である。図４は図１のバッテリコネクタに使用されるコンタクトの斜視図である。
【００１１】
図１乃至図３に示すバッテリコネクタ１は、携帯電話機の裏蓋（図示せず）にバッテリを内臓したバッテリパックのバッテリあるいは裏蓋側に別個に設けられるバッテリに接続されるものであり、絶縁性のハウジング１０と、ハウジング１０に取り付けられる複数のコンタクト２０とを具備している。バッテリコネクタ１は、バッテリに接続された回路基板Ａ（図３（Ｂ）参照）上に実装されるようになっている。
【００１２】
ここで、ハウジング１０は、絶縁性の樹脂を成形することによって形成されるものであって長手方向に延びる略矩形形状を有し、コンタクト２０を収容するための複数のコンタクト受容キャビティ１１を長手方向に沿って所定ピッチで形成している。各コンタクト受容キャビティ１１は、ハウジング１０の前面１２に開くと共に上下面１３，１４を貫通するように形成され、各コンタクト受容キャビティ１１の両側壁には、後述するコンタクト２０の両側壁部２２及び両側壁延長部２３を受容する側壁受容凹部１５が下面１４に開くように形成されている。また、ハウジング１０の長手方向両側壁には、長手方向に突出する１対の突出部１６が形成され、各突出部１６の下面には、位置決めポスト１７が下方に向けて突出形成されている。位置決めポスト１７は、バッテリに接続された回路基板Ａ上にバッテリコネクタ１を実装するときに、バッテリコネクタ１の位置決めを行うために設けられている。
【００１３】
また、各コンタクト２０は、図４に最もよく示すように、金属板を打ち抜き及び曲げ加工することによって形成されるものであり、平板状の基部２１を有している。基部２１の底面は、バッテリに接続された回路基板Ａ上にバッテリコネクタ１を実装するときに、回路基板Ａへの半田付け面を構成し、回路基板Ａ上の導電性パッドに半田接続されるようになっている。そして、基部２１の前縁（図４における左縁）及び後縁には、半田付け面積を増大させるため及び半田付け部検査用の突出板部２１ａ，２１ｂが突出形成されている。また、基部２１の底面には、図２に最もよく示すように、半田フィレット形成用の凹部２１ｃが形成されている。そして、この基部２１の左右両側からは互いに略平行の１対の側壁部２２が立ち上がり、各側壁部２２の後端側の上縁からは側壁延長部２３が立ち上がっている。そして、側壁延長部２３の各々には、側壁延長部２３の前縁の上下方向略中央部から互いに相対向するように前方に延びる、後述する相手コンタクト７０への１対の接触アーム２４が設けられている。各接触アーム２４は、各側壁延長部２３の前縁から相対向する接触アーム２４に向かって内側に傾斜するように斜め前方に延びてから側壁部２２と略平行となるように折り曲げられている。そして、各接触アーム２４の先端部には、相手コンタクト７０に接触する接触突部２５が内側に向けて突出形成されている。
【００１４】
更に、各コンタクト２０の両側壁部２２の前縁、後縁及び両側壁延長部２３の後縁には、複数のバーブ（逆とげ）２６が設けられている。これらバーブ２６は、コンタクト２０の両側壁部２２及び両側壁延長部２３がハウジング１０に形成された側壁受容凹部１５に受容されたときに、側壁受容凹部１５の前後壁に係止され、これにより、コンタクト２０がハウジング１０に対して圧入固定される。
【００１５】
以上の構成を有するバッテリコネクタ１の組立に際しては、コンタクト２０の両側壁部２２及び両側壁延長部２３を、接触部２４の接触突部２５が前方に位置する向きでハウジング１０の下面１４側から側壁受容凹部１５内に挿入してコンタクト２０をハウジング１０に対して圧入固定し、この作業を複数のコンタクト２０に対して行えば良い。各コンタクト２０の圧入固定に際しては、コンタクト２０の両側壁延長部２３の上縁２３ａが側壁受容凹部１５の上壁（図示せず）に当接するまで両側壁部２２及び両側壁延長部２３をそれぞれの外面がハウジング１０の壁面に接するように側壁受容凹部１５内に挿入する。そうすると、コンタクト２０の平板状の基部２１の底面は、図２及び図３（Ｂ）に示すように、ハウジング１０の下面１４と略同一面となり、露出する。コンタクト２０の基部２１の底面が露出していることで、基部２１の下にハウジング１０の壁を設ける必要がないので、バッテリコネクタ１を低背にすることができる。また、各接触アーム２４は、各側壁延長部２３の前縁から相対向する接触アーム２４に向かって内側に傾斜するように斜め前方に延びてから側壁部２２と略平行となるように折り曲げられているので、コンタクト２０をハウジング１０に圧入した後に、各接触アーム２４は各コンタクト受容キャビティ１１内で内外方向に撓み可能となっている。さらに、コンタクト２０は、平板状の基部２１及び基部２１の両側から立ち上がる１対の側壁部２２を有する断面コ字形で形成され、両側壁部２２の外面がハウジング１０の壁面に接するように側壁受容凹部１５内に挿入されるので、ハウジング１０の強度を強化することができる。
【００１６】
そして、以上のように組み立てられたバッテリコネクタ１は、バッテリに接続された回路基板Ａ上に実装される。このとき、コンタクト２０の基部２１の底面が回路基板Ａ上に形成された導電性パッドに半田接続される。基部２１は、両側壁部２２間を延びる平板状で形成されて半田付け面となる底面の面積は比較的大きいので、半田付け強度を高くすることができる。このため、バッテリコネクタ１を回路基板Ａ上に強固に固定するための別個の補強部材が不要となり、バッテリコネクタ１の基板上への占有面積を小さくすることができる。また、基部２１の半田付け位置は、バッテリコネクタ１の底面において短手方向中央に対して対称となっているため、バッテリコネクタ１に対する半田付け位置のバランスを良好なものとし、相手コネクタのあらゆる方向からの挿入にも半田付け部が耐えることができる。また、基部２１の底面には、半田フィレット形成用の凹部２１ｃが形成されているので、基部２１の回路基板Ａへの半田接続に際して、半田付け強度をより一層高くすることができる。
【００１７】
そして、図５及び図６に示すように、バッテリコネクタ１と嵌合接続する、携帯電話機の本体側の回路基板Ｂ上に実装された相手コネクタ５０は、矩形状の絶縁性ハウジング６０と、絶縁性ハウジング６０の長手方向に沿って所定ピッチで設けられた複数のタブ状相手コンタクト７０とを具備している。相手コンタクト７０は、バッテリコネクタ１のコンタクト２０と接触するように、コンタクト２０の取り付けピッチと同一ピッチでハウジング６０に取り付けられる。また、相手コンタクト７０は、絶縁性ハウジング６０の上面から突出すると共に下面が回路基板Ｂ上の導電性パッドに半田接続されている。
【００１８】
そして、携帯電話機の使用に際しては、図６に示すように、携帯電話機の裏蓋を携帯電話機の本体側の筐体８０に整合するように閉める。すると、バッテリコネクタ１のコンタクト２０の１対の接触部２４の接触突部２５が上方側から相手コネクタ５０の相手コンタクト７０を挟み込み、これによりコンタクト２０と相手コンタクト７０とが接触してバッテリが回路基板Ｂに接続され、バッテリからの電力が回路基板Ｂに供給されるのである。このとき、相手コンタクト７０は、ハウジング１０のコンタクト受容キャビティ１１が上下面１３，１４を貫通するように形成されていることから、ハウジング１０の上面１３側からコンタクト受容キャビティ１１内に入り、接触部２４の接触突部２５間に入りこむ。なお、各コンタクト受容キャビティ１１がハウジング１０の前面１２にも開き、接触部２４の接触突部２５が前方に位置していることから、コンタクト２０の接触突部２５は、相手コンタクト７０の上方側からのみならず、相手コンタクト７０の側方からも接触することができる。
【００１９】
また、バッテリを交換するときには、上記と逆の手順でバッテリコネクタ１と相手コネクタ５０との嵌合接続状態を解除し、新たなバッテリを装着すればよい。
以上、本発明の実施形態について説明してきたが、本発明はこれに限定されず、種々の変更を行うことができる。例えば、１対の接触アーム２４は、側壁延長部２３の前縁の上下方向略中央部から互いに相対向するように前方に延びているが、側壁部２２から直接、相対向するように延設してもよい。
【００２０】
【発明の効果】
以上説明したように、本発明のうち請求項１に係るバッテリコネクタは、ハウジングが、上面、前面及び下面に開口するコンタクト受容キャビティを有し、コンタクトが、平板状の基部と、該基部の両側から立ち上がる１対の側壁部と、該１対の側壁部の各々から互いに相対向するように延びる、相手コンタクトへの１対の接触アームとを有し、前記基部の底面が、前記ハウジングの下面と略同一面となって該下面から露出し、前記回路基板への半田付け面を構成するので、半田付け面の面積を比較的大きくすることができ、半田付け強度を高くすることができる。このため、バッテリコネクタを回路基板上に強固に固定するための別個の補強部材が不要となり、バッテリコネクタの基板上への占有面積を小さくすることができる。また、基部の半田付け位置は、バッテリコネクタの底面において偏らず、バッテリコネクタに対する半田付け位置のバランスを良好なものとし、相手コネクタのあらゆる方向からの挿入にも半田付け部が耐えることができる。
【００２１】
また、本発明のうち請求項２に係るバッテリコネクタは、請求項１記載の発明において、前記基部の底面に、半田フィレット形成用の凹部を形成したので、基部の回路基板への半田接続に際して、半田付け強度をより一層高くすることができる。
【図面の簡単な説明】
【図１】本発明に係るバッテリコネクタを斜め上方から見た斜視図である。
【図２】図１のバッテリコネクタを斜め下方から見た斜視図である。
【図３】図１のバッテリコネクタを示し、（Ａ）は平面図、（Ｂ）は正面図、（Ｃ）は底面図である。
【図４】図１のバッテリコネクタに使用されるコンタクトの斜視図である。
【図５】相手コネクタの斜視図である。
【図６】バッテリコネクタと相手コネクタとの嵌合状態の断面図である。
【図７】従来例のバッテリコネクタを部分的に断面した斜視図である。
【符号の説明】
１  バッテリコネクタ
１０  ハウジング
２０  コンタクト
２１  基部
２１ｃ  凹部
２２  側壁部
２４  接触アーム
７０  相手コンタクト
Ａ    回路基板
【図１】
0003614768.tif 000002
【図２】
0003614768.tif 000003
【図３】
0003614768.tif 000004
【図４】
0003614768.tif 000005
【図５】
0003614768.tif 000006
【図６】
0003614768.tif 000007
【図７】
0003614768.tif 000008